(57)【要約】【課題】  自毛と付け毛を簡単な作業で確りと連結でき、安全で持続性の高い毛髪連結具および毛髪連結方法が求められている。【解決手段】  毛髪連結具１は自毛と付け毛を連結するものであって、塑性変形する材料で略筒状に形成された連結具本体２の、少なくとも内周面２Ａが弾性部材３で被覆されているとともに、弾性部材４で囲まれる空間４が自毛と付け毛の双方を挿通可能な大きさに形成されている。この毛髪連結具１では、弾性部材３で囲まれる空間４内に自毛と付け毛の双方が挿通されたのち、連結具本体２が径方向にかしめられて自毛および付け毛が一体に弾性部材３，３間で挟持されるようになっている。【選択図】      図１
2005200802.tif 000002
【特許請求の範囲】
【請求項１】
自毛と付け毛を連結する毛髪連結具であって、塑性変形する材料で略筒状に形成された連結具本体の、少なくとも内周面が弾性部材で被覆されているとともに、弾性部材で囲まれる空間が自毛と付け毛の双方を挿通可能な大きさに形成されていることを特徴とする毛髪連結具。
【請求項２】
連結具本体および弾性部材が、それぞれの周方向で分断され筒心方向に見て略コ字状ないし略Ｃ字状に形成されている請求項１に記載の毛髪連結具。
【請求項３】
請求項１または請求項２に記載された毛髪連結具の弾性部材で囲まれる空間内に自毛と付け毛の双方を挿通したのち、連結具本体を径方向にかしめて自毛および付け毛を一体に弾性部材間で挟持することを特徴とする毛髪連結方法。
【発明の詳細な説明】
【技術分野】
【０００１】
本発明は、自毛を実際よりも長く見せるために付け毛を連結する毛髪連結具およびこれを用いた毛髪連結方法に関するものである。
【背景技術】
【０００２】
従来、この種の毛髪連結具として、綿布片に感熱性接着剤を含浸させたものが下記の特許文献１に開示されている。この毛髪連結具では、利用客の自毛の先端部と、「エクステンション」と称される付け毛の上端部とを感熱性接着剤上で重ね合わせて綿布片を巻き合わせたのち、これらの巻き合わせ部分に約１６０℃に加熱したストレートヘア用アイロンなどを押し当てることにより、感熱性接着剤を溶融させて自毛と付け毛を一体に接着するようになっている。
【特許文献１】特開２００３−２７８０２１号公報
【発明の開示】
【発明が解決しようとする課題】
【０００３】
上記従来の毛髪連結具では、高温のアイロンを使用するので取扱いに多大な注意を要し、ひいては火傷や髪質の劣化を引き起こすおそれがある。そのために作業性が悪くなり作業時間が長くかかっていた。特許文献１では全数の連結作業の開始から完了までに２時間かかると記載されている。また、自毛から付け毛を取り外す際にも高温のアイロンが使用されるが、溶融した感熱性接着剤を自毛から取り除く作業に手間がかかりすぎる。
一方で、感熱性接着剤は常温に戻ると粘着力が低下するため、いったん固定した自毛や付け毛が感熱性接着剤から抜け落ちることがあり、連結の持続性に問題がある。
【０００４】
本発明は、上記した従来の問題点に鑑みてなされたものであって、自毛と付け毛を簡単な作業で確りと連結でき、安全で持続性の高い毛髪連結具および毛髪連結方法の提供を目的とするものである。
【課題を解決するための手段】
【０００５】
上記目的を達成するために、本発明に係る毛髪連結具は、自毛と付け毛を連結するものであって、塑性変形する材料で略筒状に形成された連結具本体の、少なくとも内周面が弾性部材で被覆されているとともに、弾性部材で囲まれる空間が自毛と付け毛の双方を挿通可能な大きさに形成された構成にしてある。
【０００６】
また、前記構成において、連結具本体および弾性部材が、それぞれの周方向で分断され筒心方向に見て略コ字状ないし略Ｃ字状に形成されているものである。
【０００７】
そして、本発明に係る毛髪連結方法は、請求項１または請求項２に記載された毛髪連結具の弾性部材で囲まれる空間内に自毛と付け毛の双方を挿通したのち、連結具本体を径方向にかしめて自毛および付け毛を一体に弾性部材間で挟持するものである。
【発明の効果】
【０００８】
本発明に係る毛髪連結具およびこれを用いた毛髪連結方法によれば、弾性部材で囲まれる空間内に自毛と付け毛の双方を挿通したのち、連結具本体を径方向にかしめると、自毛および付け毛が弾性部材間で弾性的に挟持される。従って、自毛および付け毛がしっかりと一体連結されるので、長期間にわたり良好な連結状態を保持することができる。また、自毛および付け毛は弾性部材の弾性により引っ張りに耐えるため毛切れが少ない。そして、この毛髪連結具を用いた連結作業は加熱を必要としないので、従来技術と比べて格段に作業性および安全性が高い。
【０００９】
また、連結具本体および弾性部材が、それぞれの周方向で分断され筒心方向に見て略コ字状ないし略Ｃ字状に形成されている場合は、自毛および付け毛を側方の分断部分から挿し込めるため、別個の係止具そのものおよび係止具を取り扱う作業を必要とせず、連結作業を極めて簡単かつ短時間に行なうことができ安価で済む。
【発明を実施するための最良の形態】
【００１０】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る毛髪連結具の外観図、図２は図１における毛髪連結具のＡ−Ａ線矢視断面図、図３は毛髪連結具の分解組立図である。
各図において、この実施形態に係る毛髪連結具１は利用者の自毛１１（図８参照）と付け毛２１（図８参照）を連結するものであって、平面視（筒心Ｃ方向）で円筒状に形成されたアルミニウム（塑性変形する材料）製の連結具本体２と、同じく平面視で円筒状に形成された軟質ポリエチレンチューブ製の弾性部材３とから構成されている。
【００１１】
連結具本体２は内周面２Ａの内径がＤ１に形成され、弾性部材３は外周面３Ｂの外径がＤ２であり内周面３Ａの内径がＤ３に形成されている。弾性部材３の外径Ｄ２は連結具本体２の内径Ｄ１よりも若干大きく設定されている。これにより、連結具本体２に弾性部材３を装着するとき、弾性部材３を指で径方向に縮めて連結具本体２の筒内に嵌装する。すると、連結具本体２の筒内で弾性部材３が径方向に弾性変形して戻り、弾性部材３の外周面３Ｂが連結具本体２の内周面２Ａに密着して内周面２Ａを被覆する。弾性部材３の内周面３Ａで囲まれる空間４は自毛１１（６０本程度）と付け毛２１（６０本程度）の双方を収容して挿通できる筒内断面積に形成されている。因みに、連結具本体２は外径が４〜６ｍｍ、内径Ｄ１が２〜４ｍｍである。弾性部材３は外径Ｄ２が２〜５ｍｍ、内径Ｄ３が１．５〜４ｍｍとし自毛１１および付け毛２１を合わせて２０〜１２０本程度収容できる内径とする。また、連結具本体２および弾性部材３の高さＱは２．５〜５ｍｍである。但し、本発明に係る毛髪連結具は上記した各寸法に限定されない。
【００１２】
引続き、上記構成の毛髪連結具１を用いて、自毛と付け毛を連結する方法を説明する。その際、図４に示した係止具３０が使用される。この係止具３０は、棒状のロッド本体３１と、ロッド本体３１の先端に形成された毛髪係止用のフック部３２と、ロッド本体３１の末端に形成された把手部３３と、ロッド本体３１に枢軸３５を介して揺動自在に枢支されフック部３２を開閉するベラ３４とから構成されている。使用にあたり、係止具３０には多数（例えば、十数個）の毛髪連結具１,１，１,・・・が予めフック部３２から挿し込まれてロッド本体３１に保持される。
【００１３】
そこで、ヘアデザイナーは、図５に示すように、利用客の例えば５０本程度の自毛１１,１１,１１,・・・の先端部１２,１２,１２,・・・を左手で束ねて持ち、先端部１２から毛根部１０までの途中を、右手に持った係止具３０のフック部３２で引っ掛ける（矢印Ｆ方向）。次に、左手で先頭の毛髪連結具１を持ち、右手で係止具３０を更に矢印Ｆ方向に引くと、図６に示すように、自毛１１，１１，１１，・・・が輪状になって、毛髪連結具１の上部３Ｕ側から空間４内に引き入れられる。更に係止具３０を引くと、先端部１２,１２,１２,・・・が毛髪連結具１を通過し自毛１１,１１,１１,・・・が空間４内に挿通される。その後、図７に示すように、自毛１１,１１,１１,・・・の先端部１２,１２,１２,・・・が係止具３０のフック部３２から離れる。
【００１４】
続いて、図８に示すように、付け毛２１,２１，２１，・・・を毛髪連結具１に挿通する。付け毛２１,２１，２１，・・・は例えば５０本程度の毛髪であり、それぞれの先端部２２，２２，２２，・・・は自由端とされ、束ねた上端部は接着剤などで固めた収束固定部２３となっている。そこで、ヘアデザイナーは、左手で毛髪連結具１および自毛１１，１１，１１，・・・を一緒に持ち、右手で収束固定部２３を摘んで毛髪連結具１の下部３Ｄ側から空間４内に矢印Ｇのように挿し込む。収束固定部２３は、図８中の２点鎖線および図９（ａ）で示すように、毛髪連結具１の空間４内に収まる位置まで挿し込まれる。このとき、自毛１１の先端部１２近傍が付け毛２１の収束固定部２３と重なっている。
【００１５】
その状態で、連結具本体１の連結具本体２にニッパーなどで径方向（矢印Ｈ方向および矢印Ｉ方向）の力を加えてかしめる。すると、図９（ｂ）に示すように、付け毛２１の収束固定部２３と自毛１１が弾性部材３，３間で一体に挟持される。このように収束固定部２３を毛髪連結具１の空間４内に収まる位置に配置すると、収束固定部２３が外部から全く見えないためシンプルで美しい仕上りとなる。また、毛髪連結具１をかしめたときに収束固定部２３が弾性部材３の内周面３Ａで直に挟持されるので、毛髪連結具１から脱落しにくく耐久性に富む。但し、収束固定部２３を空間４を通過させて、毛髪連結具１の上方位置まで持って来ても構わない。その場合は、連結具本体２をかしめた後に収束固定部２３が毛髪連結具１の上面に引っ掛かるため、よりいっそう抜け落ちにくくなる。この例では、
ベラ３４付きの係止具３０を用いたが、ベラ無しのフック部３２を有する係止具でも十分に使用可能である。
【００１６】
上記した連結作業は、図１０に示すように、利用客Ｌの後頭部のコメカミよりも下方位置において、頭皮に近い内層の自毛１１に施される。自毛１１と付け毛２１を連結した多数の毛髪連結具１，１，１，・・・は、その上から被せられる外層の自毛１１に隠れて外部からはほとんど見えない。すなわち、利用客Ｌの自毛１１の下端部１３が肩までであっても、付け毛２１を付けることにより先端部２２が腰の位置まで達するのである。因みに、実際に自毛１１を腰の位置まで伸ばそうとすると３〜４年かかるが、この毛髪連結具１を用いれば約３０分間で腰までの毛髪を得ることができる。また、自毛１１に近い髪質の付け毛２１を選定することで、自毛１１と見分けがつかなくなる。尚、毛髪連結具１を用いた付け毛２１の連結は、利用客Ｌの前髪の自毛、側頭部の自毛、その他部位の自毛に対しても適用可能であり、アクセサリー感覚で利用するとよりいっそう趣が出てくる。
【００１７】
上記したように、この毛髪連結具１によれば、連結具本体２をかしめたときの弾性部材３の弾性変形により空間４内の隙間が埋められるため、自毛１１および付け毛２１に対する滑り止め効果が現われ、自毛１１および付け毛２１の保持力が高くなる。また、収束固定部２３は洗髪を繰り返す間に解れてくることがあるが、収束固定部２３が解れても、弾性部材３はその弾性復元力により空間４内の隙間を埋め、解れた収束固定部２３をそのまま保持することができる。そして、弾性部材３の弾力性により引っ張りに耐えるため毛切れが少ない。前記した各作用に起因して連結状態の持続性が高くなり、例えば３ヶ月以上の長期間にわたり保持することができる。但し、連結して３ヶ月位経つと、自毛１１自体が伸びて櫛やブラシが毛髪連結具１に引っ掛かりやすくなるため、毛髪連結具１を付け換える必要が生じる。また、この毛髪連結具１は加熱することなく使用されるので、従来の感熱性接着剤で連結する場合と比べて格段に作業性がよい。因みに、付け毛２１の総使用本数を同数とした場合、感熱性接着剤（付け毛２１の束ね本数８０本）による連結方法では３時間かかっていたものが、この毛髪連結具１を用いた方法（付け毛２１の束ね本数５０本）によれば、１束ごとの付け毛２１の束ね本数が少ないことにより連結数（毛髪連結具１の使用数）が多くなるにも拘わらず、わずか３０分間で完了したのである。
【００１８】
ところで、弾性部材３を省いて連結具本体２のみを使用した場合は、かしめにより自毛１１と付け毛２１がせっかく連結固定されても、連結具本体２の内周面２Ａが平滑で剛性を有する金属表面であるため、自毛１１または付け毛２１が内周面２Ａを滑って抜け落ちることがある。自毛１１または付け毛２１がわずかでも抜け始めると、塑性材料である連結具本体２の空間４内の隙間が増加し、後は雪崩現象のように自毛１１および付け毛２１が抜け落ちる。また、連結具本体２の内周面２Ａの縁角部で自毛１１や付け毛２１が擦れて切れることもある。
【００１９】
尚、前記では収束固定部２３付きの付け毛２１,２１，２１，・・・を自毛１１,１１，１１，・・・に連結した例を示したが、収束固定部２３の無いバラバラの付け毛２１,２１，２１，・・・を自毛１１,１１，１１，・・・に連結することも可能である。
その場合、図５から図７までに示した作業は前記と同じである。そこで、自毛１１の先端部１２を毛髪連結具１に挿通した状態（図７）から、係止具３０を毛髪連結具１の弾性部材３の上部３Ｕ側から矢印Ｊ方向に挿通し、図１１に示すように、フック部３２を弾性部材３の下部３Ｄ側から突出させる。続いて、左手で持った付け毛２１,２１，２１，・・・の束の上端部２０，２０，２０，・・・近傍をフック部３２で引っ掛けて、そのまま係止具３０を矢印Ｋ方向に引き上げ下部３Ｄ側から弾性部材３内に通して引き抜く。これにより、付け毛２１の上端部２０が毛髪連結具１に上方に現われる。尚、引き抜きの際に、ベラ３４が毛髪連結具１と接触干渉して揺動しフック部３２を閉じるので、フック部３２が自毛１１の先端部１２を巻き込んだり毛髪連結具１の空間４内で引っ掛かるといったことがない。これにより、図１２に示すように、付け毛２１の上端部２０近傍部分と自毛１１の先端部１２近傍部分とが毛髪連結具１の空間４内で重なり合うのである。この状態から、毛髪連結具１を例えば矢印Ｈ方向および矢印Ｉ方向にニッパーなどでかしめると、弾性部材３の内周面３Ａが自毛１１および付け毛２１を弾性的に挟持して連結する。この場合も、弾性部材３が自毛１１および付け毛２１に対する滑り止め効果を呈し、自毛１１および付け毛２１を長期間確実に保持する。
上記のように連結された自毛１１と付け毛２１を分離する場合は、かしめにより扁平になった毛髪連結具１（図９（ｂ）参照）の長径部分をニッパーなどで径方向内向き（矢印Ｈ，Ｉとほぼ直交する方向）に押圧して連結具本体２を筒状に戻すだけでよく多くの手間がかからない。
【００２０】
尚、上記では軟質ポリエチレンチューブ製の弾性部材３を用いたが、本発明の弾性部材はそれに限るものでない。図１３に示す毛髪連結具１ａのように、溶剤にシリコンゴムを溶かしたゴム塗料を連結具本体２の内周面２Ａに塗布し乾燥させて得た弾性ゴム塗膜を弾性部材３ａとすることも可能である。この弾性部材３ａは連結具本体２の内周面２Ａに一体に接着されているので、既述した毛髪連結作業中に連結具本体２から弾性部材３ａが外れるといったことがない。
【００２１】
更には、図１４に示すように、シリコンゴムを主剤とする塗料中に連結具本体２全体をドブ漬けして、連結具本体２の全面（すなわち、外周面、内周面２Ａ、上面、および下面）に塗料を塗布・乾燥して得た弾性部材３ｂを有する毛髪連結具１ｂも本発明に含まれる。この毛髪連結具１ｂも毛髪連結作業中に連結具本体２から弾性部材３ａが外れるといったことがなく、製造も極めて容易であって安価に提供され得る。尚、上記した筒状の連結具本体２（図１，１３，１４）用の弾性部材としては、内周面２Ａに接着剤で固着される後述のゴムフィルムでも構わない。
【００２２】
そして、図１５に示す毛髪連結具１ｃは、筒状の連結具本体２ａおよび弾性部材３ｃが、それぞれの周方向で分断され筒心Ｃ方向（平面視）に見て略Ｃ字状に形成されている。この場合、弾性部材３ｃは例えばＳＲＢゴム製のゴムフィルムで構成されており、連結具本体２ａの内周面２Ｂを被覆するように接着剤で固着されている。弾性部材３ｃで囲まれた空間４ａは自毛１１と付け毛２１の双方を収容できる大きさに形成されている。対向する分断端部６,６間は、自毛１１および付け毛２１を空間４ａ内に連結具本体２ａの側面から取り入れるための分断開口５となっている。分断開口５の開口幅Ｒは例えば１〜３ｍｍ程度である。
【００２３】
図１６に示す毛髪連結具１ｄは前記の毛髪連結具１ｃと同様に構成であるが、連結具本体２ｂおよび弾性部材３ｄが筒心Ｃ方向（平面視）に見て略コ字状に形成されている。この毛髪連結具１ｄも、略コ字状の連結具本体２ｂの内周面２Ｃを被覆する弾性部材３ｄは前記と同様のゴムフィルムで構成されている。弾性部材３ｄで囲まれた空間４ｂは自毛１１と付け毛２１の双方を収容できる大きさに形成されている。対向する分断端部６ａ,６ａ間は、自毛１１および付け毛２１を空間４ｂ内に連結具本体２ｂの側面から取り入れるための分断開口５ａとなっている。分断開口５ａの開口幅Ｓは例えば１．５〜４ｍｍ程度に設定されている。
【００２４】
上記の毛髪連結具１ｄによれば、図１７に示すように、自毛１１,１１,１１,・・・の先端部１２，１２，１２，・・・近傍をまとめて分断開口部５ａから空間４ｂ内へ挿入する（矢印Ｍ方向）。同様に、付け毛２１,２１,２１,・・・の上端部２０，２０，２０，・・・近傍もまとめて分断開口部５ａから空間４ｂ内へ挿入する（矢印Ｎ方向）。その状態で、連結具本体１ｄの連結具本体２ｂを矢印Ｈ方向および矢印Ｉ方向にニッパーなどでかしめる。これにより、付け毛２１,２１,２１,・・・の上端部２０，２０，２０，・・・近傍と自毛１１,１１,１１,・・・の先端部１２，１２，１２，・・・近傍が弾性部材３ｄ，３ｄ間で一体に挟持される。
【００２５】
この連結具本体１ｄでは自毛１１および付け毛２１を側方から挿入できるため、既述の係止具３０を使用しなくて済む。従って、係止具３０そのもの、および係止具３０を扱う作業を必要としない。これにより、係止具３０の費用を省略でき、連結作業も簡単に行なえる。すなわち、この毛髪連結具１ｄを用いた方法（自毛１１および付け毛２１の束ね数が各５０本）によれば連結作業時間がわずか２０分間で済み、既述の毛髪連結具１を用いた方法よりも更に時間短縮ができた。また、連結具本体１ｄの上下から付け毛２１を挿し込まなくてよいので、比較的高価な収束固定部２３付きの付け毛２１を使用しなくて済み、コスト低減化に寄与する。そして、側方に分断開口５ａが開いているので、弾性部材３ｄを連結具本体２ｂの内周面２Ｃに固着するためのゴムフィルム接着加工を分断開口５ａから容易く実施することができる。これにより、連結具本体１ｄが安価に提供される。
【００２６】
他方で、付け毛２１,２１,２１,・・・の上端部２０，２０，２０，・・・近傍と自毛１１,１１,１１,・・・の先端部１２，１２，１２，・・・近傍を予め重ね合わせたのちに、重ね合わせ部分を指先で揉んで互いに絡ませておき、この部分を分断開口部５ａから空間４ｂ内へ挿入したのちにかしめるようにしても構わない。このように、付け毛２１,２１,２１,・・・および自毛１１,１１,１１,・・・を揉んで絡ませる場合は、よりいっそう作業が簡単になり短時間で完了する。尚、前記の毛髪連結具１ｃに関しても、毛髪連結具１ｄと同等の作用・効果を奏することは言うまでもない。尚、周方向に分断した連結具本体２ａ（図１５）や連結具本体２ｂ（図１６，１７）用の弾性部材としては、それぞれ周方向に分断した軟質合成樹脂チューブやゴム塗膜でも構わない。
【００２７】
そして、本発明に係る連結具本体の材質としては、例えば、アルミニウム、鉄、ステンレス鋼、銅などを適用することができる。一方、鉛は皮膚に対し強い毒性を有するので使用は好ましくない。
また、本発明に係る弾性部材の素材としては、例えば、ポリエチレン、ポリプロピレン、ポリウレタン、ポリ塩化ビニルなどの軟質合成樹脂、ＳＢＲゴム、ＮＲゴム、シリコンゴムなどの合成ゴム、あるいは天然ゴムなどが挙げられる。また、本発明に係る弾性部材の形態としては、チューブ体、塗膜、シート体、フィルム体などを問わない。
【図面の簡単な説明】
【００２８】
【図１】本発明の一実施形態に係る毛髪連結具の外観図である。
【図２】図１における毛髪連結具のＡ−Ａ線矢視断面図である。
【図３】毛髪連結具の分解組立図である。
【図４】毛髪連結具とともに用いられる係止具の正面図である。
【図５】係止具のフック部を自毛の束に引っ掛けた状態を示す説明図である。
【図６】引っ掛けた自毛の束を毛髪連結具内に通す状態を示す説明図である。
【図７】引っ掛けた自毛の束を毛髪連結具内に通し終えた状態を示す説明図である。
【図８】自毛を通した毛髪連結具内に付け毛の収束固定部を挿し込む状態を示す説明図である。
【図９】毛髪連結具内に自毛および付け毛の収束固定部を挿通した状態を示す図であって、（ａ）はかしめ前の平面図、（ｂ）はかしめ後の平面図である。
【図１０】利用客の毛髪連結態様を示す背面図である。
【図１１】別のタイプの付け毛を自毛に連結する態様を示す説明図である。
【図１２】別のタイプの付け毛が自毛に連結された状態を示す説明図である。
【図１３】本発明の別の実施形態に係る毛髪連結具の平面図である。
【図１４】本発明の更に別の実施形態に係る毛髪連結具の側断面図である。
【図１５】本発明の他の実施形態に係る毛髪連結具の平面図である。
【図１６】本発明の更に他の実施形態に係る毛髪連結具の平面図である。
【図１７】前記した更に他の実施形態の毛髪連結具を用いて別のタイプの付け毛を自毛に連結する態様を示す説明図である。
【符号の説明】
【００２９】
１,１ａ,１ｂ,１ｃ,１ｄ  毛髪連結具
２,２ａ,２ｂ  連結具本体
２Ａ,２Ｂ,２Ｃ  内周面
３,３ａ,３ｂ,３ｃ,３ｄ  弾性部材
３Ａ  内周面
４,４ａ,４ｂ  空間
５,５ａ  分断開口
６,６ａ  分断端部
１１  自毛
２１  付け毛
２３  収束固定部
Ｃ    筒心
Ｄ３  内径
Ｈ,Ｉ  矢印
Ｒ    開口幅
Ｓ    開口幅
【図１】
2005200802.tif 000003
【図２】
2005200802.tif 000004
【図３】
2005200802.tif 000005
【図４】
2005200802.tif 000006
【図５】
2005200802.tif 000007
【図６】
2005200802.tif 000008
【図７】
2005200802.tif 000009
【図８】
2005200802.tif 000010
【図９】
2005200802.tif 000011
【図１０】
2005200802.tif 000012
【図１１】
2005200802.tif 000013
【図１２】
2005200802.tif 000014
【図１３】
2005200802.tif 000015
【図１４】
2005200802.tif 000016
【図１５】
2005200802.tif 000017
【図１６】
2005200802.tif 000018
【図１７】
2005200802.tif 000019